(57)【要約】【課題】マイクロホンケースと金属メッシュ等からなる保護カバーとが電気的に一体となって良好な静電シールドとして機能するようにする。【解決手段】金属材よりなるマイクロホンケース１０を有し、マイクロホンケース１０にコンデンサマイクロホンユニットが配置され、かつ、コンデンサマイクロホンユニットを覆うように金属メッシュもしくは金属の多孔板よりなる保護カバー２０が被せられているコンデンサマイクロホンにおいて、保護カバー２０の端部を弾力性接着剤５１が含浸された導電布５０を介してマイクロホンケース１０に取り付ける。【選択図】図１
2010226441.tif 000002
【特許請求の範囲】
【請求項１】
金属材よりなるマイクロホンケースを有し、上記マイクロホンケースにコンデンサマイクロホンユニットが配置され、かつ、上記コンデンサマイクロホンユニットを覆うように金属メッシュもしくは金属の多孔板よりなる保護カバーが被せられているコンデンサマイクロホンにおいて、
上記保護カバーの端部が、弾力性接着剤が含浸された導電布を介して上記マイクロホンケースに取り付けられていることを特徴とするコンデンサマイクロホン。
【請求項２】
上記保護カバーは逆椀状に形成され、上記マイクロホンケースには上記保護カバーの開口端部が嵌合される円形状の凹部を有する受け金具が設けられており、上記導電布は外径が上記凹部の内径よりも小径のリング状として上記凹部内に配置され、上記導電布の外周面と上記凹部の内周面との隙間に上記弾力性接着剤が塗布されることを特徴とする請求項１に記載のコンデンサマイクロホン。
【発明の詳細な説明】
【技術分野】
【０００１】
本発明は、コンデンサマイクロホンに関し、さらに詳しく言えば、マイクロホンケースに対する保護カバーの取付構造に関するものである。
【背景技術】
【０００２】
コンデンサマイクロホンには、細長い音響管を有する狭指向性のものから、扁平なマイクロホンケースを有するバウンダリーマイクロホンまで種々の型式があるが、図２に手持ち式である一般的なコンデンサマイクロホンを示し、これについて説明する。
【０００３】
手持ち式のコンデンサマイクロホン１は、円筒状に形成されたマイクグリップとしてのマイクロホンケース１０を備える。マイクロホンケース１０は、静電シールドのために導電性を有する素材（例えば、アルミニウムや黄銅合金等）により形成される。
【０００４】
マイクロホンケース１０の一端側には、コンデンサマイクロホンユニット３０が設けられ、他端側には、出力コネクタ４０が設けられる。通常、出力コネクタ４０には、ＥＩＡＪ  ＲＣ−５２３６「音響機器用ラッチロック式丸型コネクタ」で規定される３ピンコネクタが用いられ、マイクロホン使用時には、図示しないファントム電源に接続される。
【０００５】
マイクロホンケース１０内には、音声出力部３２を有する回路基板３１が収納されている。図示しないが、音声出力部３２には、出力トランスやローカット回路、音声調節回路等が含まれている。
【０００６】
マイクロホンケース１０の一端側には、コンデンサマイクロホンユニット３０の保護カバー２０が取り付けられる。通常、保護カバー２０には、コンデンサマイクロホンユニット３０に音波を取り入れ、また、静電シールドするために鋼線の金属メッシュが用いられるが、機種によっては金属の多孔板（パンチングメタル）が用いられることもある。
【０００７】
保護カバー２０は、コンデンサマイクロホンユニット３０を覆うように逆椀状に形成され、その開口端部２０ａがマイクロホンケース１０の一端側に固定される。その固定方法は、主として接着剤である。
【０００８】
この例では、マイクロホンケース１０の一端側に、円形状の凹部１２が形成されたマイクロホンケース１０と同じ素材からなる受け金具１１がネジ１１ａにより装着され、その凹部１２内に接着剤（図示省略）を塗布したうえで、保護カバー２０の開口端部２０ａが嵌合されるようになっている。受け金具１１は、マイクロホンケース１０と一体に形成されることもある。
【０００９】
保護カバー２０は、機械的な接触によりマイクロホンケース１０に電気的に接続され、特許文献１等に記載されているように、マイクロホンケース１０と一体となって静電シールドとして機能することが求められる。
【００１０】
しかしながら、保護カバー２０は金属メッシュよりなり、その開口端縁（金属メッシュの切断面）２０ａは不斉一でギザギザしているため、マイクロホンケース１０との接触は多点での接触となる。点接触であることから、その部分から外来電磁波による高周波電流がマイクロホンケース１０に入り込みやすい。
【００１１】
コンデンサマイクロホンユニット３０は、ＦＥＴ（電界効果トランジスタ）等からなるインピーダンス変換器を備えているため、マイクロホンケース１０内に高周波電流が入り込と、インピーダンス変換器によって検波され大きな雑音が発生することがある。
【００１２】
特に、近年急速に普及している携帯電話機からは、その使用時（発信時）にかなり強い電磁波（例えば、数ｃｍ〜数１０ｃｍの範囲内では、商用により生じている電界強度の数万倍に達する電界強度）が放射されるため、携帯電話機がマイクロホン近傍で使用されることに起因する雑音発生対策が急務となっている。
【先行技術文献】
【特許文献】
【００１３】
【特許文献１】実開昭５１−１０３９２３号公報
【発明の概要】
【発明が解決しようとする課題】
【００１４】
したがって、本発明の課題は、コンデンサマイクロホンにおいて、マイクロホンケースと金属メッシュ等からなる保護カバーとが電気的に一体となって良好な静電シールドとして機能するようにすることにある。
【課題を解決するための手段】
【００１５】
上記課題を解決するため、本発明は、金属材よりなるマイクロホンケースを有し、上記マイクロホンケースにコンデンサマイクロホンユニットが配置され、かつ、上記コンデンサマイクロホンユニットを覆うように金属メッシュもしくは金属の多孔板よりなる保護カバーが被せられているコンデンサマイクロホンにおいて、上記保護カバーの端部が、弾力性接着剤が含浸された導電布を介して上記マイクロホンケースに取り付けられていることを特徴としている。
【００１６】
本発明の好ましい態様によると、上記保護カバーは逆椀状に形成され、上記マイクロホンケースには上記保護カバーの開口端部が嵌合される円形状の凹部を有する受け金具が設けられており、上記導電布は外径が上記凹部の内径よりも小径のリング状として上記凹部内に配置され、上記導電布の外周面と上記凹部の内周面との隙間に上記弾力性接着剤が塗布される。
【発明の効果】
【００１７】
本発明によれば、保護カバーの端部とマイクロホンケースとの間に導電布が介在されているため、保護カバーとマイクロホンケースとが多くの接点で電気的に接続され、両者が電気的に一体となって良好な静電シールドが得られる。また、接着剤として、硬化後に弾力性を発現する弾力性接着剤を用いることにより、熱による膨張収縮や機械的な衝撃による変位が弾力性接着剤にて吸収されるため、長期間にわたって安定した電気的接続状態が維持される。
【図面の簡単な説明】
【００１８】
【図１】本発明の実施形態に係るコンデンサマイクロホンで、（ａ）その要部である保護カバーをマイクロホンケースに取り付ける状態を示す分解断面図、（ｂ）保護カバーをマイクロホンケースに取り付けた状態を示す組立後の断面図。
【図２】従来のコンデンサマイクロホンで、保護カバーをマイクロホンケースから分離して示す分解断面図。
【発明を実施するための形態】
【００１９】
次に、図１を参照して、本発明の実施形態について説明するが、本発明はこれに限定されるものではない。なお、図１では、本発明の実施形態に係るコンデンサマイクロホンの要部である保護カバーのマイクロホンケースに対する取付部分のみを示す。コンデンサマイクロホンの全体的な構成については、先の図２を参照されたい。
【００２０】
図１（ａ）を参照して、この実施形態においても、マイクロホンケース１０の一端部側に円形状の凹部１２を有する受け金具１１がネジ１１ａにて固定されているが、受け金具１１はマイクロホンケース１０に一体として含まれてもよい。
【００２１】
保護カバー２０は、鋼線の金属メッシュよりなり、金属メッシュの母材から円状に切り出され、マイクロホンケース１０の一端部側に配置されているコンデンサマイクロホンユニット３０（図２参照）を覆うように、プレス等により逆椀状に形成されている。保護カバー２０は、金属の多孔板（パンチングメタル）から形成されてもよい。
【００２２】
本発明では、保護カバー２０の開口端部２０ａを受け金具１１の凹部１２内に取り付けるにあたって、導電布５０と弾力性接着剤５１とを用いる。導電布５０には、例えばセーレン社製の品番Ｓｕｉ−７８−５０１０Ｔを用いることができる。また、弾力性接着剤５１には、例えばセメダイン社製の品番スーパーＸ  ＮＯ．８００８を用いることができる。
【００２３】
まず、導電布５０をリング状に裁断して受け金具１１の凹部１２内に配置したのち、導電布５０に弾力性接着剤５１を塗布して含浸させる。あらかじめ導電布５０に弾力性接着剤５１を含浸させて受け金具１１の凹部１２内に配置してもよいし、先に弾力性接着剤５１を受け金具１１の凹部１２内に塗布してから、導電布５０を凹部１２内に入れてもよい。
【００２４】
その後、図１（ｂ）に示すように、保護カバー２０の開口端部２０ａを受け金具１１の凹部１２内に嵌合し、適当な圧力をかけて導電布５０を所定に圧縮させた状態で弾力性接着剤５１を硬化させる。
【００２５】
これにより、保護カバー２０と受け金具１１（マイクロホンケース１０）とが多くの接点で電気的に接続され、両者が電気的に一体となって良好な静電シールドが得られる。また、接着剤として、硬化後に弾力性を発現する弾力性接着剤５１を用いたことにより、熱による膨張収縮や機械的な衝撃による変位が弾力性接着剤５１にて吸収されるため、長期間にわたって安定した電気的接続状態が維持される。
【００２６】
好ましくは、図１（ａ）に示すように、導電布５０をその外径が凹部１２の内径よりも小径のリング状として凹部１２内に配置し、導電布５０の外周面と凹部１２の内周面との隙間に弾力性接着剤５１を塗布する。
【００２７】
これによれば、保護カバー２０の開口端部２０ａの外径側の一部分が弾力性接着剤５１を介して受け金具１１の内面に接着されるため、より強力な接着強度をもって保護カバー２０を受け金具１１に固定することができる。さらには、電気的接続をより良好とするため、弾力性接着剤５１内に導電粒子を含ませてもよい。
【００２８】
以上説明したように、本発明によれば、マイクロホンケースと保護カバーとの電気的接続状態を使用環境によらずに安定なものとすることができ、これによりシールド効果が高まるので、携帯電話機等からの強い電磁波に起因する雑音の発生を効果的に防止することができる。なお、本発明は、バウンダリーマイクロホンのマイクロホンケースにも適用することができる。
【符号の説明】
【００２９】
１  コンデンサマイクロホン
１０  マイクロホンケース
１１  受け金具
１２  凹部
２０  保護カバー
２０ａ  保護カバーの開口端部
３０  コンデンサマイクロホンユニット
３１  回路基板
３２  音声出力部
４０  出力コネクタ
５０  導電布
５１  弾力性接着剤
【図１】
2010226441.tif 000003
【図２】
2010226441.tif 000004